(57)【要約】【課題】ＯＶＩのように照射角度を変えて照射する必要があるものに適用可能な照明装置を低コストで提供する。【解決手段】ガラス板に載置されたパスポートの被読取面を撮像するカメラを設け、その被読取面を照射するべく、基盤に複数のＬＥＤを配設しかつその出射光を任意の方向に均一に出射させるための棒状の導光体を設ける。ＯＶＩの視認のために、導光体の長手方向両端部に反射面となる背面と第２出射面とを有する突部を形成し、ガラス板を左右側から照射可能にする。複数のＬＥＤの並び方向に長尺の導光体を形成し、導光体の長手方向の端部に、その端部近傍に配置されている白色ＬＥＤからの光の出射方向を変えるための突部を設けるという簡単な構造で、導光体からの出射光の一部を異なる方向に出射させることができる。【選択図】図４
2013069484.tif 000002
【特許請求の範囲】
【請求項１】
複数の発光素子を直線状に並べた光源と、前記光源からの光が入射する入射面および当該入射面に入射した光を出射させる出射面を有しかつ前記複数の発光素子の並び方向に延在するように長尺形状に形成された導光体とを備える照明装置であって、
前記導光体は、前記長尺形状の長手方向の少なくとも一方の端部に、前記発光素子からの光を前記入射面に直交する光軸とは異なる方向に変える光出射方向変更部を有することを特徴とする照明装置。
【請求項２】
前記光出射方向変更部は、前記導光体の長手方向端部に設けられ前記出射面に対して角状に突出する突部を備え、前記出射面から前記突部の頂点に向かって傾斜する第２出射面により前記光軸とは異なる方向に光を出射することを特徴とする請求項１に記載の照明装置。
【請求項３】
前記突部の長手方向端面に設けられ、前記入射面から入射する光を前記第２出射面に導く反射面を有することを特徴とする請求項２に記載の照明装置。
【請求項４】
前記出射面がシリンドリカルレンズとして形成されていることを特徴とする請求項２または請求項３に記載の照明装置。
【請求項５】
前記入射面に、前記発光素子からの光の中で前記導光体の長手方向外側に向かう光を中央寄りに向きを変えるためのプリズム面が設けられていることを特徴とする請求項１乃至請求項４のいずれかに記載の照明装置。
【請求項６】
前記複数の発光素子の発光を制御する制御手段を有し、
前記制御手段は、前記一方の端部近傍に配置された前記発光素子のみを発光させる第１モードと、前記複数の発光素子の中で前記第１モードで発光されるもの以外を発光させる第２モードとを有することを特徴とする請求項１乃至請求項５のいずれかに記載の照明装置。
【請求項７】
前記光源および前記導光体からなる列が互いに平行な複数列に配設され、
前記複数列の前記導光体の各前記光出射方向変更部は、当該各光出射方向変更部から出射される各出射光の出射方向が前記複数列の各列で異なるようにされていることを特徴とする請求項１乃至請求項６のいずれかに記載の照明装置。
【請求項８】
前記複数の発光素子は、白色光用素子と紫外光用素子と赤外光用素子のいずれかを含むことを特徴とする請求項１乃至請求項７のいずれかに記載の照明装置。
【請求項９】
請求項１乃至請求項８のいずれかに記載の照明装置と、
前記照明装置により下方から照射されかつ読取対象物が載置される透明な対象物載置部と、
前記被読取面を撮像する撮像装置とを備えることを特徴とする読取装置。
【発明の詳細な説明】
【技術分野】
【０００１】
本発明は、複数の発光素子と導光体とを備えた照明装置およびそれを備える読取装置に関するものである。
【背景技術】
【０００２】
従来、複写機やスキャナー等の読取装置において、読取対象物をガラス板等からなる原稿台の上に載置し、その被読取面を原稿台の下から照明装置で照射してカメラで撮影するようにしたものがある。そのような読取装置の照明装置として、点光源となる発光素子を直線状に複数個並べかつ発光素子の出射側に導光体を設けて線光源にすると共に、導光体により被読取面への照度分布を均一化して照射するようにしたものがある（例えば特許文献１参照）。
【先行技術文献】
【特許文献】
【０００３】
【特許文献１】特開２０００−２１２２１号公報
【発明の概要】
【発明が解決しようとする課題】
【０００４】
一方、パスポートを読取対象物とした読取装置があり、その場合には、ガラス板等からなる原稿台の上にパスポートの写真やパスポート番号が記載されたページを載置し、そのページの被読取面を照明し、被読取面を撮像する。その照明光には白色光や赤外光を用いているものがある。可視光の典型である白色光は、モニタでの操作者の目視による確認や、イメージスキャナのように被読取面の画像を取得するのに適し、赤外光は、文字認識等の読取処理に適しており、赤外光画像では、背景画像が写り難く、文字等のコントラストが大きくなるため、読取処理を高精度に行うことができる。
【０００５】
さらに、パスポートの偽造防止のために蛍光インクやＯＶＩ（Optically Variable Inks）で文字や模様等を描いたものがある。蛍光インクのものに対しては紫外光を照射して目視可能にすることができ、ＯＶＩのものに対しては可視光（白色光）を照射しかつその照射角度を変えることにより色の変化を見ることになる。
【０００６】
上記ＯＶＩのものに対しては、色が変化することにより偽造の有無を判断することができるが、例えばパスポートでは照射角度が規定されていないため照射角度を変える必要がある。しかしながら、上記したような長尺形状の導光体を用いた照明装置では、導光体の長手方向の両端部に発光素子を配置した構成であることから、ＯＶＩ用、即ちパスポート等の原稿面に対して極端な斜め方向に光の照射角度を変えるためには別途発光素子を設けることになり、照明装置が高騰化するという問題があった。また、たとえ斜め方向から光を照射可能に構成したとしても、一方向から照射させる構造の場合には、パスポートを回転させながら確認することになり、作業が煩雑化するという問題がある。
【０００７】
本発明は、このような従来技術の問題点を解消するべく案出されたものであり、その主な目的は、例えばＯＶＩのように照射角度を変えて照射する必要があるものに適用可能な照明装置を低コストで提供することにある。
【課題を解決するための手段】
【０００８】
本発明の照明装置は、複数の発光素子を直線状に並べた光源と、前記光源からの光が入射する入射面および当該入射面に入射した光を出射させる出射面を有しかつ前記複数の発光素子の並び方向に延在するように長尺形状に形成された導光体とを備える照明装置であって、前記導光体は、前記長尺形状の長手方向の少なくとも一方の端部に、前記発光素子からの光を前記入射面に直交する光軸とは異なる方向に変える光出射方向変更部を有する構成とする。
【発明の効果】
【０００９】
本発明によれば、複数の発光素子の並び方向に長尺の導光体を形成し、導光体の長手方向の少なくとも一端部に、その一端部近傍に配置されている発光素子からの光の出射方向を変えるための光出射方向変更部を設けたことから、１つの導光体で出射光の一部を異なる方向に出射させることができる。
【図面の簡単な説明】
【００１０】
【図１】本発明による読取装置の例を示す全体斜視図
【図２】読取装置の内部の要部を示す側面図
【図３】図２の矢印III線から見た図であり、（ａ）は上側導光体の全体図、（ｂ）は下側導光体の全体図
【図４】（ａ）は図３（ａ）の矢印IVａ−IVａ線に沿って見た上側導光体の要部側断面図、（ｂ）は図３（ａ）の矢印IVｂ−IVｂ線に沿って見た下側導光体の要部側断面図
【図５】（ａ）は上側導光体の要部斜視図、（ｂ）は下側導光体の要部斜視図
【図６】（ａ）は上側導光体の突部の形状を示す要部拡大図、（ｂ）は下側導光体の突部の形状を示す要部拡大図
【図７】読取装置の概略制御ブロック図
【図８】左側方照射モードによる照射要領を示す平面図
【図９】右側方照射モードによる照射要領を示す平面図
【図１０】左右照射モードによる照射要領を示す平面図
【図１１】全面照射モードによる照射要領を示す平面図
【発明を実施するための形態】
【００１１】
前記課題を解決するためになされた第１の発明は、複数の発光素子を直線状に並べた光源と、前記光源からの光が入射する入射面および当該入射面に入射した光を出射させる出射面を有しかつ前記複数の発光素子の並び方向に延在するように長尺形状に形成された導光体とを備える照明装置であって、前記導光体は、前記長尺形状の長手方向の少なくとも一方の端部に、前記発光素子からの光を前記入射面に直交する光軸とは異なる方向に変える光出射方向変更部を有する構成とする。
【００１２】
これによると、複数の発光素子の並び方向に長尺の導光体を形成し、導光体の長手方向の少なくとも一端部に、その一端部近傍に配置されている発光素子からの光の出射方向を変えるための光出射方向変更部を設けたことから、導光体からの出射光の一部を異なる方向に出射させることができる。
【００１３】
また、第２の発明は、前記第１の発明において、前記光出射方向変更部に、前記向きを変えられた光を出射するための第２出射面が前記出射面に対して後傾するように設けられている構成とする。
【００１４】
これによると、導光体の光出射方向変更部以外の出射面から出射される出射光により照射される範囲に対して、光出射方向変更部により向きを変えられた出射光を第２出射面から出射させて照射することから、１つの導光体で異なる向きの出射状態が得られる。
【００１５】
さらに、第３の発明は、前記第２の発明において、前記光出射方向変更部が、前記入射面から入射する光の方向を前記第２出射面から出射させる方向に変えるべく前記導光体の長手方向端面からなる反射面を有する構成とする。
【００１６】
これによると、導光体の長手方向端面に反射面を形成するという簡単な構造で、一方の端部近傍の入射面から入射する光の方向を変えることができる。
【００１７】
また、第４の発明は、前記第２または第３の発明において、前記出射面がシリンドリカルレンズに形成されている構成とする。
【００１８】
これによると、シリンドリカルレンズにより出射面から出射される出射光を導光体の短手方向において、略均等にすることができる。
【００１９】
また、第５の発明は、前記第１乃至第４の発明において、前記入射面に、前記発光素子からの光の中で前記導光体の長手方向外側に向かう光を中央寄りに向きを変えるためのプリズム面が設けられている構成とする。
【００２０】
これによると、発光素子の中央の光軸に対して出射光が拡がりをもって出射される場合に、導光体の長手方向外側に向かう光をプリズム面により導光体の中央寄りに向きを変えることにより、導光体の出射面から出射される出射光を導光体の長手方向において略均等な照射を行うことができる。
【００２１】
また、第６の発明は、前記第１乃至第５の発明において、前記複数の発光素子の発光を制御する制御手段を有し、前記制御手段は、前記一方の端部近傍に配置された前記発光素子のみを発光させる第１モードと、前記複数の発光素子の中で前記第１モードで発光されるもの以外を発光させる第２モードとを有する構成とする。
【００２２】
これによると、モードを切り換えて発光制御することにより、それぞれのモードでの発光による出射方向が変化するため、光の当たる角度の違いで見え方が変わるものを判定する場合に、その向きを変えることなく、照明装置側のモードの切り換えのみで対応できる。
【００２３】
また、第７の発明は、前記第１乃至第６の発明において、前記光源および前記導光体からなる列が互いに平行な複数列に配設され、前記複数列の前記導光体の各前記光出射方向変更部は、当該各光出射方向変更部から出射される各出射光の出射方向が前記複数列の各列で異なるようにされている構成とする。
【００２４】
これによると、複数の導光体のそれぞれの出射方向変更部による出射方向を変えることにより、１つの導光体による照射範囲が狭い場合でも、それぞれで照射できない部分を補って全体を照射することができる。
【００２５】
また、第８の発明は、前記第１乃至第７の発明において、前記複数の発光素子は、白色光用素子と紫外光用素子と赤外光用素子のいずれかを含む構成とする。
【００２６】
これによると、各色発光素子による発光を選択的に切り換えることにより、１つの導光体からの出射光でそれぞれの光に応じて見え方が変わるものを判別することができる。
【００２７】
また、第９の発明は、前記第１乃至第８の発明において、前記照明装置により下方から照射されかつ読取対象物が載置される透明な対象物載置部と、前記被読取面を撮像する撮像装置とを備える構成とする。
【００２８】
これによると、被読取面に照射角度に応じて見え方が変わるものが設けられている読取対象物を目視により判断する場合に、上記各発明による照明装置を用いて、対象物載置部に載置した読取対象物の被読取面を撮像装置により撮像して画面に映し出すことで、被読取面に対して照射角度を変えた照射を容易に行うことができ、撮像された画像を画面で容易に判定できる。
【００２９】
以下、本発明の実施の形態を、図面を参照しながら説明する。図１は、本発明による読取装置の例を示す全体斜視図である。読取装置１は、内部が空洞の略直方体のハウジング２を有し、机上等に置いて使用される。なお、以下の説明での上下方向は、読取装置１を机上に置いた状態におけるものとする。
【００３０】
図２は、本発明による読取装置の内部の要部を示す側面図である。図２に併せて示されるように、ハウジング２の上面には、その概ね全面に亘って対象物載置部としてのガラス板３が設けられている。そのガラス板３の上面に読取対象物としての例えばパスポート４がその被読取面４ａをガラス板３に向けて載置される。
【００３１】
ハウジング２の内部にはガラス板３の下方となるハウジング２の底面近傍にメイン基板５が配設されている。メイン基板５には読取装置１の制御手段としての制御回路やドライブ回路等（図示省略）が設けられている。メイン基板５の一端側の上方位置にはガラス板３の裏面に臨むように斜め上向きにされた照明基板６が配設されている。なお、これら基板５・６をハウジング２に対して固定するための支持構造は、公知のねじ止め構造であってよく、図示省略している。
【００３２】
照明基板６には、上下２列にそれぞれ複数の発光素子としてのＬＥＤ７が、その長手方向に直線状に並べられ（図４等を参照）、かつ各列のＬＥＤ７の出射面をそれぞれ覆うように棒状の各導光体８・９が列毎に配設されている。また、照明基板６と各導光体８・９の間には、照明基板６に配置されたＬＥＤ７部分に対応する開口部が設けられた樹脂製のスペーサー１６が配置されている。スペーサー１６に設けた開口部の壁面は光出射方向に広がるテーパー形状を成しており、ＬＥＤ７の出射光はこの壁面で反射されて効率よく導光体８・９の中に導かれる。
【００３３】
図３は、本発明による読取装置の導光体の全体図である。上側導光体８は、その正面図を示す図３（ａ）に示されるように、長手方向の中央部において、その左右が線対称となる形状を有しており、長手方向の中央部と両端部との３箇所に設けられた各取付孔８ａを用いて照明基板６にねじ止めされ、同様に下側導光体９も、その正面図を示す図３（ｂ）に示されるように線対称となる形状を有し、長手方向の中央部と両端部との３箇所に設けられた各取付孔９ａを用いて照明基板６にねじ止めされている（各ねじは図示省略）。このように導光体８・９はそれぞれ一体物として構成されているが、照明基板６において、各導光体８・９の長手方向中央部に対応する位置にはＬＥＤ７が配置されておらず、当該部分は光学的な機能を持たないため、長手方向中央部にて各導光体８・９を分断する構成としてもよい。このようにすれば、分断部分に対応する照明基板６に電気部品を配置することができるので、照明基板６の実装効率が向上する。
【００３４】
図１・図２に示されているように、上側導光体８の長手方向中央かつその上側となる位置にはガラス板３の上面に載置されたパスポート４の被読取面４ａを撮像する撮像装置としてのカメラ１３が配設され、カメラ１３に対向する位置に、被読取面４ａの像の光路をカメラ１３に向けて曲げるための反射鏡１４が配設されている。このように光路を曲げるのは、読取装置１をコンパクト化するのに有効であるためである。
【００３５】
各導光体８・９に対応する各ＬＥＤ７の配置について図４を参照して説明する。図４は、本発明による読取装置の導光体の要部側断面図である。なお、導光体８は、その中央部で分けた両側で左右対称配置であってよいため、図４〜図６ではそれぞれ片側を代表して示している。
【００３６】
上側導光体８では、図４（ａ）に示されるように、図の右側となる一端側から図の左側となる中央部に至る方向で、可視光用としての白色ＬＥＤ７ａ、赤外線用の赤外ＬＥＤ７ｂ、紫外線用の３つの紫外ＬＥＤ７ｃ、白色ＬＥＤ７ａ、赤外ＬＥＤ７ｂ、紫外ＬＥＤ７ｃがこの順で配設されている。下側導光体９では、図４（ｂ）に示されるように、上側導光体８と同様に一端側から中央部に至る方向で、白色ＬＥＤ７ａ、紫外ＬＥＤ７ｃ、白色ＬＥＤ７ａ、赤外ＬＥＤ７ｂ、４つの紫外ＬＥＤ７ｃがこの順で配設されている。
【００３７】
導光体８・９のＬＥＤ７と対峙する入射面８ｂ・９ｂは、ＬＥＤ７の出射光の光軸に対して直交する平面に形成されているが、入射面８ｂ・９ｂの一部には部分的に凹ませた形状のプリズム面８ｃ・９ｃが複数箇所にそれぞれ異なる形状（プリズム面が、導光体８・９の一端側あるいは中央部の方向を向く傾斜面）で設けられている。また、両導光体８・９の入射面８ｂ・９ｂとは相反する側には、導光体８・９の長手方向に沿う軸線周りに弧状をなしかつその長手方向に直線状に延在する湾曲面からなる出射面８ｄ・９ｄが設けられている。出射面８ｄ・９ｄは、例えばシリンドリカルレンズの円筒面で形成されていてよい。
【００３８】
ＬＥＤ７は点光源として考えられ、その出射光は一般的には最大光量となる光軸を中心として放射状に出射される（光軸上の光量が若干低く設計されたものも存在する）。例えば図４（ｂ）に示されるように、導光体９として図示する範囲の略中央に配置された白色ＬＥＤ７ａを代表して説明すると、実線の矢印で示されるように、その光軸Ｃｗ方向に出射される光Ｌ１は導光体９の入射面９ｂに直交して入射し、出射面９ｃから光軸Ｃｗ方向に直進して出射される。また、白色ＬＥＤ７ａから導光体９の中央部側に向けて光軸Ｃｗに対して斜めに出射される光Ｌ２は、入射面９ｂに斜めに入射し、出射面９ｂからもその傾いた角度で導光体９の中央側に向けて出射される。
【００３９】
一方、白色ＬＥＤ７ａから導光体９の中央部側とは相反する外側に向けて光軸Ｃｗに対して斜めに出射される光で上記プリズム面９ｃに入射した光Ｌ３は、プリズム面９ｃで屈折する。プリズム面９ｃは、光Ｌ３を光軸Ｃｗと略平行に出射させるように屈折させる角度となる傾斜面で形成されている。これにより、図示例の白色ＬＥＤ７ａから外側に向けて出射された光Ｌ３を光軸Ｃｗ方向に直進させることができ、光の必要以上の拡散を防止して、効率の良い照射を行うことができる。各プリズム面８ｃ・９ｃの傾斜面は、外側に向けて出射される光をそれぞれの位置に応じて導光体８・９の中央側に屈折させるように各ＬＥＤ７に対応してそれぞれ設定されている。
【００４０】
図５は、本発明による読取装置の導光体の要部斜視図である。図４及び図５に示されるように、導光体８・９の長手方向両端部には出射方向変更部としての突部１１・１２が出射面８ｄ・９ｄに対して角状に突出するように一体に形成されている。突部１１・１２は、図４で、入射面８ｂ・９ｂから立ち上がり、出射面８ｄ・９ｄの上方に至るまで湾曲形状に形成された背面部１１ａ・１２ａと、背面部１１ａ・１２ａの頂部（出射面８ｄ・９ｄの上方）から出射面８ｄ・９ｄに至るように、出射面８ｄ・９ｄに対し後傾するように斜め上向きの第２出射面１１ｂ・１２ｂとを有する。また、出射面１１ｂ・１２ｂは、図３に併せて示されるように、出射面８ｄ・９ｄの最頂部（入射面８ｂ・９ｂから最も高い部分）に対応する部分が最も膨出する凸型曲面に形成されている。なお、各導光体８・９は、透明な材質として例えばＰＭＭＡに代表されるアクリル樹脂により形成されていてよい。
【００４１】
各突部１１・１２の直下には白色ＬＥＤ７ａが配設されており、その白色ＬＥＤ７ａから出射された光は図のＬ４に示されるように、背面部１１ａ・１２ａで反射して第２出射面１１ｂ・１２ｂから出射される。このように出射光は、主に導光体８・９の長手方向に向けて角度変換が施されるが、導光体８・９は立体物であり、導光体から出射される光は例えば図４の紙面法線方向にも光量分布を有しているから、実際は第２出射面１１ｂ・１２ｂから出射される光は、全体特性として対象物載置部であるガラス板３の対角線方向に角度変換が施されることになる。この角度変換の程度は、背面１１ａ・１２ａの傾斜（曲率）と第２出射面１１ｂ・１２ｂの上向き角度とを任意の値に設計することにより、第２出射面１１ｂ・１２ｂからの出射方向を自由に設定でき、ガラス板３への照射角度を任意に設定することができる。
【００４２】
図６は、本発明による読取装置の導光体の突部形状を示す要部拡大図である。本図示例では、上側導光体８の突部１１からの出射光によりガラス板３の左右近傍側を照射し、その照射位置に対してガラス板３の中央寄り側を下側導光体９の突部１２からの出射光により照射するように分担させている。そのために、図６に示されるように各突部１１・１２の内部の反射面を形成する各背面１１ａ、１２ａの曲率を部分的に変えている。上側導光体８の突部１１の背面１１ａには、図６（ａ）に示されように突部１１の頂部側から背面１１ａの外側に凸となる半径Ｒ１の曲面と、それに対して内側に凸（外側に凹）となる半径Ｒ２の曲面と、続けて内側に凸となる半径Ｒ３の曲面と、出射面８ｄに至るまで外側に凸となる半径Ｒ４の曲面とが連続的に形成されている。各半径の大小関係は、Ｒ１＜Ｒ４、Ｒ２＞Ｒ３であるが、これに限られるものではなく、第２出射面１１ｂからの出射光の出射方向に応じて適宜変更してよい。
【００４３】
突部１１において、白色ＬＥＤ７ａに近い側の半径Ｒ４を大きくしておくことにより、その部分で反射した光の出射角度（光軸Ｃｗに対する角度）を小さくすることができ、第２出射面１１ｂからの出射角度も小さくなる。また、大きな半径Ｒ１のままだとその面で反射した光の出射方向が集中するようになってしまうため、中間部の内側に凸となる半径Ｒ２・Ｒ３の各曲面を設けて背面１１ａで反射する出射角度を変えることによりやや拡散させている。このようにして、第２出射面１１ｂからの出射角度（光軸Ｃｗに対する角度）を小さくすることができる。
【００４４】
一方、突部１２では、背面１２ａの曲面形状は外側に凸のままであるが、突部１２の頂部側では半径Ｒ５の曲面とし、白色ＬＥＤ７ａ側では半径Ｒ６（＜Ｒ５）の曲面としている。なお、両半径Ｒ５・Ｒ６の切り替わり部分では滑らかに変化するようにされている。入射面９ｂ側の半径Ｒ６を半径Ｒ５よりも小さくすることにより、半径Ｒ６の部分で反射した光は半径Ｒ５の部分で反射した光よりも第２出射面１２ｂからの光の出射角度（第２出射面（１１ｂ，１２ｂ）に関して「出射角度」と表記するときは、ＬＥＤ７ａの光軸に対する角度を意味するものとする。以下同じ）が大きくなる。
【００４５】
なお、上記したように第２出射面１１ｂ・１２ｂが凸型曲面状に形成されていることにより、第２出射面１１・１２ｂからの出射光は図８に示されるように上面視で扇形になり、ガラス板３の平面に対してある程度の拡がりをもって照射することができる。したがって、この第２出射面１１ｂ・１２ｂの凸型曲面の曲率を任意に設定することにより、ガラス板３における照射範囲を適度な範囲となるように設計できる。
【００４６】
このように構成された導光体８・９を用いた照射要領について以下に示す。
【００４７】
先ず、図７に本読取装置の制御回路２１の概略ブロック図を示す。制御回路２１は、図に示されるように、全体の制御を行うメイン制御部２１ａと、メイン制御部２１ａに接続された画像処理部であるＩＳＰ制御部２１ｂ・ＩＣチップ読取制御部２１ｃ・アンテナ制御部２１ｄ・上側ＬＥＤ制御部２１ｅ・下側ＬＥＤ制御部２１ｆと、ＩＳＰ制御部２１ｂに接続されたカメラ制御部２１ｇとを有し、例えば読取スイッチ（図示省略）により駆動する。カメラ制御部２１ｇにはカメラ１３が接続され、上側ＬＥＤ制御部２１ｅには上側導光体８に対応して配設された各ＬＥＤ７ａ・７ｂ・７ｃが接続されていると共に、下側ＬＥＤ制御部２１ｆには下側導光体９に対応して配設された各ＬＥＤ７ａ・７ｂ・７ｃが接続されている。
【００４８】
メイン制御部２１ａでは、ガラス板３に載置されているパスポート４の読取処理をプログラムにより実行する。カメラ制御部２１ｇではカメラ１３の撮影制御及び画像信号の取り込みを行い、その画像信号をＩＳＰ制御部２１ｂにより画像処理し、画像処理したデータをメイン制御部２１ａを介して外部モニタ（図示省略）に出力する。ＩＣチップ読取制御部２１ｃ及びアンテナ制御部２１ｄは、パスポート４に埋め込まれているＩＣチップとの無線接続による認証等を行い、例えばコード信号が正規のものであるか否かをメイン制御部２１ａで判定する。
【００４９】
上記したように、パスポート４には偽造防止のためにＯＶＩ処理したものがあり、ＯＶＩに対しては色が変化することにより偽造の有無を判断することができる。そこで、白色光の照射角度を変えるべく、メイン制御部２１ａにおいて、左側方照射、右側方照射、左右照射、全面照射の４つのモードを用意して様々な方向から被読取面４ａを照射する。メイン制御部２１ａは、上側・下側ＬＥＤ制御部２１ｅ・２１ｆに対して各モードに応じて点灯すべきＬＥＤ７を選択的に駆動する。
【００５０】
図８は左側方照射モードによる照射要領を示す平面図、図９は右側方照射モードによる照射要領を示す平面図、図１０は左右照射モードによる照射要領を示す平面図、図１１は全面照射モードによる照射要領を示す平面図である。左側方照射モードの場合には、図３における左側の突部１１・１２に対応する位置に配設された白色ＬＥＤ７ａを点灯し、図８の矢印に示されるように白色光をガラス板３の左側から中央部に向けて斜めに照射する。右側方照射モードの場合には、図３における右側の突部１１・１２に対応する位置に配設された白色ＬＥＤ７ａを点灯し、図９の矢印に示されるように白色光をガラス板３の右側から中央部に向けて斜めに照射する。左右照射モードの場合には、左右の両突部１１・１２に対応する位置に配設された白色ＬＥＤ７ａを点灯し、図１０の矢印に示されるように白色光をガラス板３の左右両側から中央部に向けてそれぞれ斜めに照射する。全面照射モードの場合には、図３における左右の突部１１・１２間（出射面８ｂ・９ｂの中央寄り部分）に対応する位置に配設された白色ＬＥＤ７ａを点灯し、出射面８ｂ・９ｂから図１１の矢印に示されるように白色光を左右方向で略均等になるようにしてガラス板３の全体を照射する。
【００５１】
それぞれのモードにおけるモニタ画面での画像を視認することにより、文字や模様等の色変化を確認して偽造の有無を判断し得る。また、下側導光体９では、上記したようにより小さい半径Ｒ６の部分で反射した光は半径Ｒ５の部分で反射した光よりも第２出射面１２ｂからの光の出射角度が大きくなるという第２出射面１２ｂからの出射角度に大きな変化が生じるため、ＯＶＩの写る可能性が高くなり、モニタでの検査が容易となる。
【００５２】
しかしながら、下側導光体９の第２出射面１２ｂからの照射範囲を、上側導光体８の第２出射面１１ｂよりも出射角度を大きくしていることから、例えば図８の破線Ａ１に示されるようになり、ガラス板３の中央部分を対角線上に広く照射できるが、図８における左側、特に左下側の角の部分に照度が低下する領域ができるようになってしまう。それに対して、上側導光体８の第２出射面１１ｂからの出射角度を小さくしていることから、その照射範囲は図８の破線Ａ２で示されるようになり、上記照度低下となる範囲を十分カバーすることができるようになっている。このようにして、左側方照射モードにおいてガラス板３（被読取面４ａ）の略全面に対して照射することができ、ＯＶＩの位置が定かでないものに対しても確認可能な照射を行うことができる。
【００５３】
また、図９の右側方照射モードの場合には上記図８とは左右対称の逆パターンでの照射となり、照射角度の違いに応じて色変化するＯＶＩに対して対応し得る。このように左右いずれかからの照射により一方向からの光を強くすることができ、その方向からの照射に応じて色を変えるように設けられたＯＶＩをより一層視認し易くすることができる。
【００５４】
また、図１０の左右照射モードの場合には、上記例では順番に行うモードの１つとしたが、一度に左右からの照射を行ってＯＶＩの処理が施されていることが確認できれば、この左右照射モードを先行して行い、そのモードで確認できれば左右別々のモードを省略するようにすることもできる。左右両方から一度に照射した場合には片方ずつの場合に比べてＯＶＩの視認性が劣る可能性があるが、ＯＶＩの視認においては、画質は問われず、また若干むらがあってもよく、色変化が視認できればよいので、ＯＶＩの有無の確認に十分対応し得る。
【００５５】
そして、図１１の全面照射モードの場合には、図１１における略全範囲（破線Ａ３）を照射し、かつ上記各モードでＯＶＩが確認できなかった場合に導光体８・９の中央部分からの照射方向となることから、その角度で視認可能となるＯＶＩの確認ができるようになる。さらに、ガラス板３の全面を略均一に照射することができ、これにより画質が向上することから、ＯＣＲ（Optical Character Reader）を実施することができ、それによる真贋判定を行うことができる。このようにして、パスポート４を回転させることなく各方向からの照射を行ってＯＶＩの確認を行うことができ、その作業が容易になる。
【００５６】
また、上記実施形態では、各突部１１・１２からの各照射範囲（図８・図９の破線Ａ１・Ａ２）がガラス板３の全範囲を十分な照度で照射できない場合について示したが、白色ＬＥＤ７ａの能力向上などにより導光体８・９の片方ずつでもガラス板３の全範囲を照射できる場合には、導光体８・９別に照射するようにしてもよい。それにより、異なる方向からの照射による明確な違いを確認することができる。
【００５７】
なお、本実施形態ではパスポート４を対象としたが、本照明装置およびそれを備える読取装置における対象としてはパスポート４に限られるものではなく、免許証、有価証券等にも適用し得る。
【００５８】
また、複数の発光素子として、パスポートの真贋判定としてＯＶＩ用に白色ＬＥＤ７ａを設けると共に文字認識等の読取処理に適する赤外ＬＥＤ７ｂを設け、かつ偽造防止用の蛍光インクを目視可能にする紫外ＬＥＤ７ｃを設けており、上記白色光の４つのモードの他に赤外光照射モードと紫外光照射モードとを設定し、各モードを自動的にまたは選択スイッチ操作により順番に実行することにより、各光に応じた確認を容易に行うことができる。なお、読取対象の仕様によっては赤外ＬＥＤ７ｂや紫外ＬＥＤ７ｃを設けなくてもよい。また、照射方向を変えるだけの場合には、導光体８・９の両端部の各突部１１・１２に対応する白色ＬＥＤ７ａだけでもよい。
【００５９】
以上、本発明を、その好適形態実施例について説明したが、当業者であれば容易に理解できるように、本発明はこのような実施例により限定されるものではなく、本発明の趣旨を逸脱しない範囲で適宜変更可能である。また、上記実施形態に示した構成要素は必ずしも全てが必須なものではなく、本発明の趣旨を逸脱しない限りにおいて適宜取捨選択することが可能である。
【産業上の利用可能性】
【００６０】
本発明にかかる照明装置およびそれを備える読取装置は、導光体の長手方向一端部の形状を変えるという簡単な構造で、導光体からの出射光の一部を異なる方向に出射させることができ、ＯＶＩ等の視認用の照明として有用である。
【符号の説明】
【００６１】
１  読取装置
３  ガラス板（対象物載置部）
４  パスポート（読取対象物）
４ａ  被読取面
６  照明基盤（照明装置）
７  ＬＥＤ（発光素子・照明装置）
８・９  導光体（照明装置）
８ｄ・９ｄ  出射面
８ｂ・９ｂ  入射面
１１・１２  突部（光出射方向変更部）
１１ａ・１２ａ  背面部（反射面）
１１ｂ・１２ｂ  第２出射面
１３  カメラ（撮像装置）
１６  スペーサー
【図１】
2013069484.tif 000003
【図２】
2013069484.tif 000004
【図３】
2013069484.tif 000005
【図４】
2013069484.tif 000006
【図５】
2013069484.tif 000007
【図６】
2013069484.tif 000008
【図７】
2013069484.tif 000009
【図８】
2013069484.tif 000010
【図９】
2013069484.tif 000011
【図１０】
2013069484.tif 000012
【図１１】
2013069484.tif 000013